(57)【要約】【課題】調理時に発生する調理熱を利用して脱臭触媒を活性化させるレンジフードを提供することを目的とする。【解決手段】汚れた空気を排気する排気ファン３を備えた本体４と、前記本体内で排気ファン３の風路内に内蔵された、温度によって脱臭効率が向上する脱臭フィルタ１とを備え、脱臭フィルタ１は排気ファン３の下部に設置することによって、排気ファン３の風路を通過する調理熱によって温度が上昇する構成にしたことにより、加熱調理器からの排熱で脱臭フィルタ１の温度を上げることができ、脱臭効率を上げることができるレンジフードを得られる。【選択図】図１
2011094892.tif 000002
【特許請求の範囲】
【請求項１】
汚れた空気を排気する排気ファンを備えた本体と、前記本体内で排気ファンの風路内に内蔵された温度によって脱臭効率が向上する脱臭フィルタとを備え、脱臭フィルタは排気ファンの下部に設置することによって、排気ファンの風路を通過する調理熱によって温度が上昇することを特徴とするレンジフード。
【請求項２】
脱臭フィルタは加熱調理器の水平面に対して表面積が大きくなる方向に設置されることを特徴とする請求項１に記載のレンジフード。
【請求項３】
脱臭フィルタは本体から着脱可能であることを特徴とする請求項２に記載のレンジフード。
【請求項４】
脱臭フィルタはスイッチ操作によって着脱可能であることを特徴とする請求項３に記載のレンジフード。
【請求項５】
排気ファンの運転時間により脱臭フィルタの寿命を計算し、フィルタ寿命時を知らせる報知手段を備えたことを特徴とする請求項４に記載のレンジフード。
【請求項６】
脱臭フィルタの温度を測る温度検知手段を備え、フィルタの寿命計算は温度検知手段の検知閾値を超えた時点からの運転時間により算出することを特徴とする請求項５に記載のレンジフード。
【請求項７】
報知手段はブザーであることを特徴とする請求項１〜６に記載のレンジフード。
【請求項８】
報知手段は人の音声であることを特徴とする請求項１〜６に記載のレンジフード。
【発明の詳細な説明】
【技術分野】
【０００１】
本発明は、調理時に発生する調理熱を利用して脱臭触媒を活性化させるレンジフードに関するものである。
【背景技術】
【０００２】
加熱調理器から調理時に発生する煙や臭いをいかに分解して浄化するかが大きな問題となっている。近年、煙や臭いを浄化するための脱臭触媒を設けた過熱調理器が種々開発されている。このような脱臭触媒としては加熱されることで活性化されるものが広く用いられており、脱臭触媒を活性化するために触媒加熱用ヒータを搭載されるものもある（たとえば特許文献１参照）。
【先行技術文献】
【特許文献】
【０００３】
【特許文献１】特許第３０５２８４０号公報
【発明の概要】
【発明が解決しようとする課題】
【０００４】
上記のような従来の方法では、触媒活性化用の加熱ヒータをわざわざ搭載しなければならず、コストがかかり、消費電力が多くなるという課題があった。
【０００５】
本発明は、上記課題を解決するもので、調理時に発生する調理熱を利用して脱臭触媒を活性化させるレンジフードを提供することを目的とする。
【課題を解決するための手段】
【０００６】
上記課題を解決するために本発明のレンジフードは、汚れた空気を排気する排気ファンを備えた本体と、前記本体内で排気ファンの風路内に内蔵された温度によって脱臭効率が向上する脱臭フィルタとを備え、脱臭フィルタは排気ファンの下部に設置することによって、排気ファンの風路を通過する調理熱によって温度が上昇することを特徴とする構成としたものである。
【０００７】
この手段によりヒータなどの手段を用いずに光触媒の脱臭効率を上げられ、効率良く脱臭できるレンジフードが得られる。
【０００８】
また、他の手段は、脱臭フィルタは加熱調理器の水平面に対して表面積が大きくなる方向に設置する構成としたものである。
【０００９】
この手段により、脱臭フィルタの活性化面積が大きくなり、脱臭効率の高いレンジフードが得られる。
【００１０】
また、他の手段は、脱臭フィルタは本体から着脱可能とする構成としたものである。
【００１１】
この手段により、脱臭フィルタをメンテナンスしやすいレンジフードが得られる。
【００１２】
また、他の手段は、脱臭フィルタはスイッチ操作によって着脱可能とする構成としたものである。
【００１３】
この手段により、脱臭フィルタをメンテナンスしやすいレンジフードが得られる。
【００１４】
また、他の手段は、排気ファンの運転時間により脱臭フィルタの寿命を計算し、フィルタ寿命時を知らせる報知手段を備える構成としたものである。
【００１５】
この手段により、脱臭フィルタの寿命をユーザに知らせ、交換時期を報知するレンジフードが得られる。
【００１６】
また、他の手段は、脱臭フィルタの温度を測る温度検知手段を備え、フィルタの寿命計算は温度検知手段の検知閾値を超えた時点からの運転時間により算出する構成としたものである。
【００１７】
この手段により脱臭フィルタの寿命を知ることができるレンジフードが得られる。
【００１８】
また、他の手段は、報知手段はブザーである構成としたものである。
【００１９】
この手段により、脱臭フィルタ交換時期をユーザに報知できるレンジフードが得られる。
【００２０】
また、他の手段は、報知手段は音声である構成としたものである。
【００２１】
この手段により、脱臭フィルタ交換時期をユーザに報知できるレンジフードが得られる。
【発明の効果】
【００２２】
本発明によれば、汚れた空気を排気する排気ファンを備えた本体と、前記本体内で排気ファンの風路内に内蔵された温度によって脱臭効率が向上する脱臭フィルタとを備え、脱臭フィルタは排気ファンの下部に設置することによって、排気ファンの風路を通過する調理熱によって温度が上昇する構成にしたことにより、脱臭フィルタは調理熱によって活性化されるので、脱臭フィルタの効率が向上するという効果を得ることができる。
【００２３】
また、脱臭フィルタの交換時期が容易に判断でき、常に脱臭効率を保つことができるレンジフードが得られる。
【図面の簡単な説明】
【００２４】
【図１】本発明の実施の形態１のレンジフードの構成を示す斜視図
【図２】同レンジフードの動作を示すフローチャート
【図３】同レンジフードの構成を示す側面図
【図４】本発明の実施の形態２のレンジフードの構成を示す斜視図
【図５】同レンジフードの動作を示すフローチャート
【発明を実施するための形態】
【００２５】
本発明の請求項１記載のレンジフードの発明は、汚れた空気を排気する排気ファンを備えた本体と、前記本体内で排気ファンの風路内に内蔵された温度によって脱臭効率が向上する脱臭フィルタとを備え、脱臭フィルタは排気ファンの下部に設置することによって、排気ファンの風路を通過する調理熱によって温度が上昇する構成を有する。これにより、加熱調理器からの排熱で脱臭フィルタ温度をヒータなどの加熱手段を用いずに挙げることができ、脱臭フィルタの脱臭効率を上げることとなるので、ヒータなどの手段を用いずに光触媒の脱臭効率を上げられ、効率良く脱臭できるという効果を奏する。
【００２６】
また、脱臭フィルタは加熱調理器の水平面に対して表面積が大きくなる方向に設置するという構成にしてもよい。これにより、脱臭フィルタの活性化面積が大きくなるので、脱臭フィルタの脱臭効率が向上するという効果を奏する。
【００２７】
また、脱臭フィルタは本体から着脱可能とする構成としてもよい。これにより、フィルタの交換が可能となるので、脱臭フィルタの脱臭効率を高く保つという効果を奏する。
【００２８】
また、脱臭フィルタはスイッチ操作によって着脱可能とする構成としてもよい。これにより、フィルタを簡単に着脱できるので、フィルタのメンテナンスが容易に行えるという効果を奏する。
【００２９】
また、排気ファンの運転時間により脱臭フィルタの寿命を計算し、フィルタ寿命時を知らせる報知手段を備える構成としてもよい。これにより、フィルタ交換時期をユーザに報知できるので、適切な時期にフィルタ交換を行えるという効果を奏する。
【００３０】
また、脱臭フィルタの温度を測る温度検知手段を備え、フィルタの寿命計算は温度検知手段の検知閾値を超えた時点からの運転時間により算出する構成としてもよい。これにより、フィルタの理論的な寿命が計算できるので、適切な時期にフィルタ交換を行えるという効果を奏する。
【００３１】
また、報知手段はブザーである構成としてもよい。これにより、フィルタの交換時期を理解できるという効果を奏する。
【００３２】
また、報知手段は音声である構成としてもよい。これにより、報知内容を音声で説明できるので、報知内容を容易に理解できるという効果を奏する。
【００３３】
以下、本発明の実施形態について図を参照しながら説明する。
【００３４】
（実施の形態１）
図１に示すように本発明のレンジフードは、調理時に発生する汚れた空気を脱臭フィルタ１を介して排気口２より排気する排気ファン３を本体４に備え、本体４前面には脱臭フィルタのメンテナンス時期を報知するブザーのような報知手段５を内蔵している。
【００３５】
ここで脱臭フィルタ１とは、加熱されることで活性化される脱臭触媒を備えたフィルタであり、調理時に発生する調理熱によって加熱されることで活性化され、脱臭効率を向上させられる。脱臭フィルタ１は調理熱を用いて脱臭フィルタ１を活性化するために、加熱調理器の水平面に対して表面積が大きくなる方向に設置する。これにより、脱臭フィルタ１の調理熱に対する表面積が大きくなり、脱臭効率を向上させられる。また、脱臭フィルタ１は排気ファン３の下部に設置することとする。これにより、排気ファンの風路を通過する調理熱を吸収できる。
【００３６】
なお、レンジフードの排気ファンの運転ノッチは、「弱」、「中」、「強」の３種類から選択可能なものとするが、運転ノッチ数は３種類未満としても３種類以上としても良い。
【００３７】
なお、報知手段５は音声としても良い。
【００３８】
上記構成において、図２のフローチャートを用いてレンジフードがフィルタのメンテナンス時期を報知する動作を説明する。ＳＴＥＰ１では、排気ファン３が停止している「待機状態」から始まる。
【００３９】
ＳＴＥＰ２では、排気ファン３の運転が開始するとＳＴＥＰ３に進み、排気ファンの運転が停止するとＳＴＥＰ１の「待機状態」へ戻る。
【００４０】
ＳＴＥＰ３では、積算タイマをスタートさせ、ＳＴＥＰ４に進む。積算タイマをＴｉとする。
【００４１】
ＳＴＥＰ４では積算タイマＴｉが所定時間Ｔｍを経過していればＳＴＥＰ５に進み、所定時間が経過していなければＳＴＥＰ４を繰り替えす。
【００４２】
ＳＴＥＰ５では、運転ノッチが「弱」であるか判断し、「弱」の場合はＳＴＥＰ７へ進み、フィルタ交換の目安となる積算値ＴｓにＴｊを加算する。運転ノッチが「弱」でない場合はＳＴＥＰ６に進む。
【００４３】
ＳＴＥＰ６では運転ノッチが「中」であるか判断し、「中」の場合はＳＴＥＰ８に進み、積算値ＴｓにＴｃを加算する。運転ノッチが「中」でない場合はＳＴＥＰ９に進み、積算値ＴｓにＴｋを加算する。
【００４４】
ＳＴＥＰ７、８、９のいずれの場合もＳＴＥＰ１０に進み、排気ファンの積算値Ｔｓがフィルタ交換閾値Ｔｈ以上の場合はＳＴＥＰ１１に進みフィルタ交換の報知を行い、Ｔｈ未満の場合はＳＴＥＰ２に戻る。
【００４５】
排気ファン３の運転ノッチによって積算値Ｔｓに加算する値が異なるのは、脱臭フィルタ１は運転ノッチが大きいほど消耗し、寿命が短くなるためである。従ってＴｊ＜Ｔｃ＜Ｔｋとするとよい。
【００４６】
また、フィルタには寿命があるため、長期使用時にはフィルタの掃除、交換等のメンテナンスが必要となる。そのため、脱臭フィルタ１は図３に示すように側面に凸部６を設け、使用時は本体４の凹部７に凸部６が収まることで本体４に固定し、メンテナンス時には下部のつまみ８を押し狭め凸部６を凹部７より抜くことで着脱可能な構成とすると良い。これにより、使用者が容易に取り外してメンテナンスでき、脱臭フィルタ１の脱臭効果を維持することができる。また、メンテナンスを終えると積算値Ｔｓをリセットできるよう、報知リセットのためのプッシュスイッチ等を本体４の前面に設けると良い。
【００４７】
以上のように、本発明では調理時に発生する調理熱を利用して、フィルタ用の加熱ヒータを搭載することなく脱臭フィルタを活性化させ、効率よく脱臭を行うことができるレンジフードが得られる。
【００４８】
（実施の形態２）
本実施の形態は、実施の形態１に加えて、脱臭フィルタ１の付近には脱臭フィルタの温度を計測するサーミスタや熱電対などの温度検知手段９を内蔵している点に特徴がある。なお、実施の形態１と同一のものは同一番号を付し、その詳細な説明を省略する。上記のように構成したレンジフードの動作について説明する。
【００４９】
温度検知手段９は図４に示すように、脱臭フィルタ１の近傍に設置する。
【００５０】
次に、図５のフローチャートを用いてレンジフードが脱臭フィルタ１のメンテナンス時期を報知する動作を説明する。ＳＴＥＰ１では、排気ファン３が停止している「待機状態」から始まる。
【００５１】
ＳＴＥＰ２では、排気ファン３の運転が開始するとＳＴＥＰ３に進み、排気ファンの運転が停止するとＳＴＥＰ１の「待機状態」へ戻る。
【００５２】
ＳＴＥＰ３では温度検知手段９にて検出されたフィルタ温度Ｔｆが、フィルタ活性化温度Ｔｏ以上であれば、ＳＴＥＰ４に進み、ＴｆがＴｏ未満であれば、ＳＥＴＰ２に戻る。
【００５３】
ＳＴＥＰ４では、積算タイマをスタートさせ、ＳＴＥＰ５に進む。積算タイマをＴｉとする。
【００５４】
ＳＴＥＰ５では積算タイマＴｉが所定時間Ｔｍを経過していればＳＴＥＰ６に進み、所定時間が経過していなければＳＴＥＰ４を繰り替えす。
【００５５】
ＳＴＥＰ６では、運転ノッチが「弱」であるか判断し、「弱」の場合はＳＴＥＰ８へ進み、フィルタ交換の目安となる積算値ＴｓにＴｊを加算する。運転ノッチが「弱」でない場合はＳＴＥＰ７に進む。
【００５６】
ＳＴＥＰ７では運転ノッチが「中」であるか判断し、「中」の場合はＳＴＥＰ９に進み、積算値ＴｓにＴｃを加算する。運転ノッチが「中」でない場合はＳＴＥＰ１０に進み、積算値ＴｓにＴｋを加算する。
【００５７】
ＳＴＥＰ８、９、１０のいずれの場合もＳＴＥＰ１１に進み、排気ファンの積算値Ｔｓがフィルタ交換閾値Ｔｈ以上の場合はＳＴＥＰ１２に進みフィルタ交換の報知を行い、Ｔｈ未満の場合はＳＴＥＰ２に戻る。
【００５８】
以上のように、脱臭フィルタ１が活性化されてからの使用時間を用いることで、正確な脱臭フィルタ１のメンテナンス時期を報知することができる。
【産業上の利用可能性】
【００５９】
本発明にかかるレンジフードは、調理時に発生する調理熱を利用して脱臭フィルタの効率を向上させるものであり、一般住宅などに用いられるレンジフードに有用である。
【符号の説明】
【００６０】
１  脱臭フィルタ
３  排気ファン
４  本体
５  報知手段
６  凸部
７  凹部
８  つまみ
９  温度検知手段
【図１】
2011094892.tif 000003
【図２】
2011094892.tif 000004
【図３】
2011094892.tif 000005
【図４】
2011094892.tif 000006
【図５】
2011094892.tif 000007